(57)【特許請求の範囲】
【請求項１】
フィルムに撮影された複数の画像を粗に読み取るプレスキャン、および前記複数の画像を前記プレスキャンより細かく読み取る本スキャンを行い、前記本スキャンによって読み取られた本スキャン画像データを画像処理して出力用の画像データとする画像処理方法であって、
前記プレスキャン画像データを用いて、前記複数の画像それぞれについて前記画像処理における画像処理条件の一部を設定し、
前記画像処理条件の一部で前記プレスキャン画像データを画像処理して得られる仕上り予測画像をディスプレイに表示し、この表示された仕上り予測画像に基づく入力指示に応じて、前記複数の画像それぞれについて前記画像処理のうちの赤目補正処理を行うか否かを設定し、
前記赤目補正処理を行うことが設定された画像について、前記本スキャン画像データを用いて赤目補正条件を設定し、
前記画像処理条件の一部および前記赤目補正条件に応じ、前記本スキャン画像データを画像処理して出力用の画像データとすることを特徴とする画像処理方法。
【請求項２】
前記本スキャン画像データの読み取りは前記複数の画像全てのプレスキャン画像データの読み取りを終了した後に行われるものであり、かつ、前記赤目補正処理を指示された画像は他の画像よりも先に本スキャン画像データの読み取りを行い、もしくは、前記複数の画像全ての本スキャン画像データの読み取りを連続的に行う請求項１に記載の画像処理方法。
【請求項３】
本スキャン画像データおよびプレスキャン画像データの少なくとも一方を用い、赤目補正処理の結果をディスプレイに表示する請求項１または２に記載の画像処理方法。
【請求項４】
前記プレスキャン画像データを用いてインデックスプリント用の画像データを作成すると共に、前記赤目補正処理を指示された画像は、インデックスプリントの作成に前記赤目補正を行ったプレスキャン画像データを用いる請求項１〜３のいずれかに記載の画像処理方法。
【発明の詳細な説明】
【０００１】
【発明の属する技術分野】
本発明は、フィルムの画像を光電的に読み取り、この画像が再現されたプリント（写真）を得るデジタルフォトプリンタ等に利用される、デジタル画像処理の技術分野に属し、特に、ストロボ撮影に起因する人物の赤目現象を、好適に補正することができる画像処理方法に関する。
【０００２】
【従来の技術】
現在、ネガフィルム、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光（アナログ露光）が主流である。
【０００３】
これに対し、近年では、デジタル露光を利用する焼付装置、すなわち、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、（仕上り）プリントとするデジタルフォトプリンタが実用化された。
【０００４】
デジタルフォトプリンタでは、画像をデジタルの画像データとして、画像データ処理によって焼付時の露光条件を決定することができるので、逆光やストロボ撮影等に起因する画像の飛びやツブレの補正、シャープネス（鮮鋭化）処理、アンダー露光やオーバー露光の補正等を好適に行って、従来の直接露光では得られなかった高品位なプリントを得ることができる。しかも、複数画像の合成や画像分割、さらには文字の合成等も画像データ処理によって行うことができ、用途に応じて自由に編集／処理したプリントも出力可能である。
しかも、デジタルフォトプリンタによれば、画像をプリント（写真）として出力するのみならず、画像データをコンピュータ等に供給したり、フロッピーディスク等の記録媒体に保存しておくこともできるので、画像データを、写真以外の様々な用途に利用することができる。
【０００５】
このようなデジタルフォトプリンタは、基本的に、フィルムに記録された画像を光電的に読み取るスキャナ（画像読取装置）、読み取った画像を画像処理して画像記録の露光条件を決定する画像処理装置、および決定された露光条件に従って感光材料を走査露光して現像処理を施してプリントとするプリンタ（画像記録装置）より構成される。
【０００６】
スキャナでは、光源から射出された読取光をフィルムに入射して、フィルムに撮影された画像を担持する投影光を得て、この投影光を結像レンズによってＣＣＤセンサ等のイメージセンサに結像して光電変換することにより画像を読み取り、必要に応じて各種の画像処理を施した後に、フィルムの画像データ（画像データ信号）として画像処理装置に送る。
画像処理装置は、スキャナによって読み取られた画像データから画像処理条件を設定して、設定した条件に応じた画像処理を画像データに施し、画像記録のための出力画像データ（露光条件）としてプリンタに送る。
プリンタでは、例えば、光ビーム走査露光を利用する装置であれば、画像処理装置から送られた画像データに応じて光ビームを変調して、この光ビームを主走査方向に偏向すると共に、主走査方向と直交する副走査方向に感光材料を搬送することにより、画像を担持する光ビームによって感光材料を露光（焼付け）して潜像を形成し、次いで、感光材料に応じた現像処理等を施して、フィルムに撮影された画像が再生されたプリント（写真）とする。
【０００７】
【発明が解決しようとする課題】
ところで、ポートレート等の画像中に人物を含むプリントにおいて、画質を左右する最も重要な要素は人物の仕上りであり、従って、撮影時のストロボ発光等の影響によって目（瞳）が赤くなる赤目現象は重大な問題となる。
【０００８】
前述のように、デジタルフォトプリンタの画像処理装置では、スキャナによって読み取られた画像データに画像処理を施し、出力用の画像データを得る。
従って、画像データ処理によって赤目を修正して、適正な画像を出力することが可能であり、例えば、フォトレタッチソフト等の市販の画像処理ツールを用いて、画像の中から目の領域の画像データを抽出し、目（目の画像データ）の色変換等を行い、赤目補正処理を行う方法が知られている。
【０００９】
しかしながら、このような従来の赤目補正処理は、その画像（コマ）で赤目が発生していることを、あらかじめ知見してることが前提で処理が行われる。
そのため、これらの赤目補正方法では、赤目が発生した同時プリントの再プリント（リメイク）において、赤目を補正したプリントを出力することは好適に行えるが、同時プリントのように、初めてプリントを作成するフィルムの処理で、しかも大量に効率よく行う必要がある作業では、赤目の発生に対して補正処理を確実に行うことが極めて困難であり、同時プリントの際に赤目補正を行って、赤目のないプリントを安定して出力することは、現実的には不可能である。
【００１０】
本発明の目的は、前記従来技術の問題点を解決することにあり、写真フィルムに撮影された画像を光電的に読み取って、得られた画像データに、所定の画像処理を施して出力用の画像データとする、デジタルの画像処理において、同時プリントの際にも好適に赤目補正を行うことができ、赤目の発生がない高画質な画像を安定して出力することができる画像処理方法を提供することにある。
【００１１】
【課題を解決するための手段】
前記課題を解決するために、本発明は、フィルムに撮影された複数の画像を粗に読み取るプレスキャン、および前記複数の画像を前記プレスキャンより細かく読み取る本スキャンを行い、前記本スキャンによって読み取られた本スキャン画像データを画像処理して出力用の画像データとする画像処理方法であって、前記プレスキャン画像データを用いて、前記複数の画像それぞれについて前記画像処理における画像処理条件の一部を設定し、前記画像処理条件の一部で前記プレスキャン画像データを画像処理して得られる仕上り予測画像をディスプレイに表示し、この表示された仕上り予測画像に基づく入力指示に応じて、前記複数の画像それぞれについて前記画像処理のうちの赤目補正処理を行うか否かを設定し、前記赤目補正処理を行うことが設定された画像について、前記本スキャン画像データを用いて赤目補正条件を設定し、前記画像処理条件の一部および前記赤目補正条件に応じ、前記本スキャン画像データを画像処理して出力用の画像データとすることを特徴とする画像処理方法を提供する。
【００１２】
また、前記本スキャン画像データの読み取りは前記複数の画像全てのプレスキャン画像データの読み取りを終了した後に行われるものであり、かつ、前記赤目補正処理を指示された画像は他の画像よりも先に本スキャン画像データの読み取りを行い、もしくは、前記複数の画像全ての本スキャン画像データの読み取りを連続的に行うのが好ましく、本スキャン画像データおよびプレスキャン画像データの少なくとも一方を用い、赤目補正処理の結果をディスプレイに表示するのが好ましく、前記プレスキャン画像データを用いてインデックスプリント用の画像データを作成すると共に、前記赤目補正処理を指示された画像は、インデックスプリントの作成に前記赤目補正を行ったプレスキャン画像データを用いるのが好ましい。
【００１３】
【発明の実施の形態】
以下、本発明の画像処理方法について、添付の図面に示される好適実施例を基に詳細に説明する。
【００１４】
図１に、本発明の画像処理方法を利用するデジタルフォトプリンタの一例のブロック図が示される。
図１に示されるデジタルフォトプリンタ（以下、フォトプリンタ１０とする）は、基本的に、フィルムＦに撮影された画像を光電的に読み取るスキャナ（画像読取装置）１２と、読み取られた画像データ（画像情報）の画像処理やフォトプリンタ１０全体の操作および制御等を行う画像処理装置１４と、画像処理装置１４から出力された画像データに応じて変調した光ビームで感光材料（印画紙）を画像露光し、現像処理して（仕上り）プリントとして出力するプリンタ１６とを有して構成される。
また、画像処理装置１４には、様々な条件の入力（設定）、処理の選択や指示、色／濃度補正などの指示等を入力するためのキーボード１８ａおよびマウス１８ｂを有する操作系１８と、スキャナ１２で読み取られた画像、各種の操作指示、条件の設定／登録画面等を表示するディスプレイ２０が接続される。
【００１５】
スキャナ１２は、フィルムＦ等に撮影された画像を１コマずつ光電的に読み取る装置で、光源２２と、可変絞り２４と、フィルムＦに入射する読取光をフィルムＦの面方向で均一にする拡散ボックス２８と、結像レンズユニット３２と、Ｒ（赤）、Ｇ（緑）およびＢ（青）の各画像読取に対応するラインＣＣＤセンサを有するイメージセンサ３４と、アンプ（増幅器）３６と、Ａ／Ｄ（アナログ／デジタル）変換器３８とを有して構成される。
【００１６】
また、フォトプリンタ１０においては、新写真システム（Ａｄｖａｎｃｅｄ  Ｐｈｏｔｏ  Ｓｙｓｔｅｍ）や１３５サイズのネガ（あるいはリバーサル）フィルム等のフィルムの種類やサイズ、ストリップスやスライド等のフィルムの形態等に応じて、スキャナ１２の本体に装着自在な専用のキャリアが用意されており、キャリアを交換することにより、各種のフィルムや処理に対応することができる。フィルムに撮影され、プリント作成に供される画像（コマ）は、このキャリアによって所定の読取位置に搬送される。
このようなスキャナ１２において、フィルムＦに撮影された画像を読み取る際には、光源２２から射出され、可変絞り２４によって光量調整された読取光が、キャリアによって所定の読取位置に位置されたフィルムＦに入射して、透過することにより、フィルムＦに撮影された画像を担持する投影光を得る。
【００１７】
図示例のキャリア３０は、図２（Ａ）に模式的に示されるように、所定の読取位置にフィルムＦを位置しつつ、イメージセンサ３４のラインＣＣＤセンサの延在方向（主走査方向）と直交する副走査方向に、フィルムＦの長手方向を一致して搬送する、読取位置を副走査方向に挟んで配置される搬送ローラ対３０ａおよび３０ｂと、フィルムＦの投影光を所定のスリット状に規制する、読取位置に対応して位置する主走査方向に延在するスリット４０ａを有するマスク４０とを有する。
フィルムＦは、このキャリア３０によって読取位置に位置されて副走査方向に搬送されつつ、読取光を入射される。これにより、結果的にフィルムＦが主走査方向に延在するスリット４０ａによって２次元的にスリット走査され、フィルムＦに撮影された各コマの画像が読み取られる。
【００１８】
なお、図中符号４４は、フィルムに光学的に記録されるＤＸコード、拡張ＤＸコード、ＦＮＳコード等のバーコードを読み取るためのコードリーダである。
また、新写真システムのフィルムには、磁気記録媒体が形成されており、新写真システムのフィルム（カートリッジ）に対応するキャリアには、この磁気記録媒体に記録された情報を読み取り、また、必要な情報を記録する磁気ヘッドが配置され、フィルムＦの画像読取時に、この磁気ヘッドによって磁気情報が読み取られ、必要な情報が、スキャナ１２から画像処理装置１４に送られる。
【００１９】
前述のように、読取光はキャリア３０に保持されたフィルムＦを透過して画像を担持する投影光となり、この投影光は、結像レンズユニット３２によってイメージセンサ３４の受光面に結像される。
図２（Ｂ）に示されるように、イメージセンサ３４は、Ｒ画像の読み取りを行うラインＣＣＤセンサ３４Ｒ、Ｇ画像の読み取りを行うラインＣＣＤセンサ３４Ｇ、およびＢ画像の読み取りを行うラインＣＣＤセンサ３４Ｂを有する、いわゆる３ラインのカラーＣＣＤセンサで、各ラインＣＣＤセンサは、前述のように主走査方向に延在している。フィルムＦの投影光は、このイメージセンサ３４によって、Ｒ、ＧおよびＢの３原色に分解されて光電的に読み取られる。
イメージセンサ３４の出力信号は、アンプ３６で増幅され、Ａ／Ｄ変換器３８でデジタル信号とされて、画像処理装置１４に送られる。
【００２０】
本発明にかかるスキャナ１２においては、フィルムＦに撮影された画像の読み取りを、低解像度で読み取るプレスキャンと、出力画像の画像データを得るための本スキャンとの、２回の画像読取で行う。
プレスキャンは、スキャナ１２が対象とする全てのフィルムの画像を、イメージセンサ３４が飽和することなく読み取れるように、あらかじめ設定された、プレスキャンの読取条件で行われる。一方、本スキャンは、プレスキャンデータから、その画像（コマ）の最低濃度よりも若干低い濃度でイメージセンサ３４が飽和するように、各コマ毎に設定された本スキャンの読取条件で行われる。
従って、プレスキャンと本スキャンの出力信号は、解像度と出力レベルが異なる以外は、基本的に同じデータである。
【００２１】
なお、後に詳述するが、本発明の画像処理方法においては、プレスキャンで読み取った画像をディスプレイ２０に表示して、この表示画像を見て赤目補正を行うコマを選択する。
そのため、プレスキャンは、ディスプレイ２０に表示した画像で赤目の発生が分かる程度の解像度で行う必要がある。あるいは、赤目発生を判定して赤目補正処理を行うモードと、赤目補正処理を全く行わないモードとを設定しておき、両者でプレスキャンの読取条件を変更してもよい。
【００２２】
本発明を利用するデジタルフォトプリンタにおいて、スキャナは、このようなスリット走査によるものに限定はされず、１コマの画像の全面を一度に読み取る、面露光を利用するものであってもよい。
また、図示例においては、ネガやリバーサル等のフィルムに撮影された画像を光電的に読み取るスキャナ１２のみを例示しているが、本発明を利用するフォトプリンタ１０は、これ以外にも、反射原稿の画像読取装置、デジタルカメラの撮像デバイス、コンピュータ通信ネットワーク等の通信手段、フロッピーディスク等の記録媒体（そのドライブ）等の、各種の画像データ供給源から画像データを受け取って、プリントを作成することができる。
【００２３】
前述のように、スキャナ１２からの出力信号（画像データ）は、画像処理装置１４に出力される。
図３に、画像処理装置１４のブロック図を示す。図３に示されるように、画像処理装置１４（以下、処理装置１４とする）は、データ処理部４６、Ｌｏｇ変換器４８、プレスキャン（フレーム）メモリ５０、本スキャン（フレーム）メモリ５２、プレスキャン処理部５４、本スキャン処理部５６、および条件設定部５８を有して構成される。
なお、図３は、主に画像処理関連の部位を示すものであり、処理装置１４には、これ以外にも、処理装置１４を含むフォトプリンタ１０全体の制御や管理を行うＣＰＵ、フォトプリンタ１０の作動等に必要な情報を記憶するメモリ、本スキャンの際の可変絞り２４の絞り値やＣＣＤセンサ３４の蓄積時間を決定する手段等が配置され、また、操作系１８やディスプレイ２０は、このＣＰＵ等（ＣＰＵバス）を介して各部位に接続される。
【００２４】
スキャナ１２から出力されたＲ、ＧおよびＢの各出力データは、データ処理部４６において、ＤＣオフセット補正、暗時補正、シェーディング補正等の所定の処理を施された後、Ｌｏｇ変換器４８においてＬｏｇ変換されてデジタルの画像（濃度）データとされ、プレスキャン（画像）データはプレスキャンメモリ５０に、本スキャン（画像）データは本スキャンメモリ５２に、それぞれ記憶（格納）される。
【００２５】
プレスキャンメモリ５０に記憶されたプレスキャンデータはプレスキャン処理部５４において、本スキャンメモリ５２に記憶された本スキャンデータは本スキャン処理部５６において、それぞれ処理される。
プレスキャン処理部５４は、画像処理部６２、赤目補正部６３およびデータ変換部６４を有して構成される。他方、本スキャン処理部５６は、画像処理部６６、赤目補正部６７およびデータ変換部６８を有して構成される。
【００２６】
プレスキャン処理部５４の画像処理部６２と、本スキャン処理部５６の画像処理部６６は、共に、後述する条件設定部５８が設定した画像処理条件に応じて、画像データに所定の画像処理を施す部位である。両画像処理部は、処理する画像データの画素密度が異なる以外には、基本的に同様の処理を行う。
画像処理部６２および画像処理部６６における画像処理としては、グレイバランス調整、階調調整、濃度調整、彩度調整、覆い焼き処理（濃度ダイナミックレンジの圧縮／伸長）、シャープネス（鮮鋭化）処理等が例示される。
これらの各処理は、画像処理演算、ＬＵＴ（ルックアップテーブル）による処理、マトリクス（ＭＴＸ）演算、フィルタによる処理等を適宜組み合わせた、公知の方法で行われる。
【００２７】
赤目補正部６３および６７は、オペレータによって赤目補正の指示が出されたコマに対して、赤目補正処理を行う部位である。従って、赤目補正の指示が出されていないコマの画像データは、ここは通過して何の処理もされず、もしくは、ここをバイパスして下流のデータ変換部に送られる。
赤目補正処理の方法には特に限定はなく、公知の各種の方法が利用可能であるが、図示例においては、一例として、オペレータがディスプレイ２０に表示された画像から目を含む領域を切り出し、その領域の画像データを用いて輝度ヒストグラムを作成し、輝度ヒストグラムから低輝度領域を抽出し、抽出した低輝度領域を収縮処理して目の領域全体を抽出し、この目の領域を処理、例えば、色相変換や彩度低下することによって赤目を修正する方法が例示される。
色相変換による赤目修正の方法としては、例えば、各種の目の色（黒い目や青い目）のデータを用意しておき、被写体となった人物が元来有する目の色を指定して、目の領域の画像データを目の色データに変換する方法が例示される。また、元来黒目の人物の場合には、目の領域の彩度を低下させて無彩色に近付けることによって、赤目補正を行うことができる。
【００２８】
プレスキャン処理部５４のデータ変換部６４は、画像処理部６２あるいはさらに赤目補正部６３で処理されたプレスキャンデータを、３Ｄ（三次元）−ＬＵＴ等を用いて、ディスプレイ２０による表示に対応する画像データに変換する部位である。
図示例の処理装置１４においては、本スキャン処理部５６の画像処理部６６あるいはさらに赤目補正部６７で処理された本スキャンデータも、データ変換部６４に転送可能に構成されており、例えば、赤目補正処理を行う場合等、必要に応じて、本スキャンデータの画像もディスプレイ２０に表示できる。
【００２９】
他方、本スキャン処理部５６のデータ変換部６８は、同様に、画像処理部６６あるいはさらに赤目補正部６７で処理された本スキャンデータを３Ｄ−ＬＵＴ等を用いて変換し、プリンタ１６による画像記録に対応する画像データとしてプリンタ１６に供給する部位である。
また、図示例の処理装置１４においては、プレスキャン処理部５４の画像処理部６２あるいはさらに赤目補正部６３で処理されたプレスキャンデータも、データ変換部６８に転送可能に構成されており、必要に応じて、プレスキャンの画像もプリントとして出力できる。プレスキャン画像は、例えば、インデックスプリントの作成に利用される。
【００３０】
プレスキャン処理部５４および本スキャン処理部５６による各種の処理条件は、条件設定部５８によって設定される。
この条件設定部５８は、セットアップ部７０、キー補正部７４およびパラメータ統合部７６を有して構成される。
【００３１】
セットアップ部７０は、基本的に、各コマのプレスキャンデータを用いて、本スキャンの読取条件、およびプレスキャン処理部５４ならびに本スキャン処理部５６における各種の画像処理条件を設定（算出）し、パラメータ統合部７６に供給する。
具体的には、セットアップ部７０は、プレスキャンデータを用いて、濃度ヒストグラムの作成や、平均濃度、ＬＡＴＤ（大面積透過濃度）、ハイライト（最低濃度）やシャドー（最高濃度）などの濃度ヒストグラムの所定頻度％点等の画像特徴量の算出等を行い、これらに応じて、前述のように本スキャンの読取条件を決定し、さらに、画像特徴量等に加え、前述の各種の画像処理条件（変換条件を含む）を設定する。
【００３２】
ここで、本発明にかかる処理装置１４においては、セットアップ部７０は、前述の赤目補正部６３および６７における画像処理条件、すなわち赤目補正の処理条件は、本スキャンデータを用いて設定する。
従って、解像度の高い画像データを用いて、適正な赤目補正処理を行って、高画質な画像を出力することができる。
【００３３】
キー補正部７４は、キーボード１８ａに設定される明るさ（Ｄ）調整キー、Ｃ（シアン）、Ｍ（マゼンタ）、Ｙ（イエロー）の各色の調整キー、γ（コントラスト）調整キー、シャープネス調整キー、彩度調整キーや、マウス１８ｂによって入力された各種の調整指示等に応じて、画像の補正量を算出し、パラメータ統合部７６に供給するものである。
パラメータ統合部７６は、セットアップ部７０が設定した画像処理条件を受け取り、供給された画像処理条件をプレスキャン処理部５４および本スキャン処理部５６に設定し、さらに、キー補正部７４で算出された画像の補正量に応じて、各部位に設定した画像処理条件の補正（調整）や、その補正を行う補正条件の作成および両処理部への設定を行う。
【００３４】
前述のように、処理装置１４において、プレスキャン処理部５４で処理された画像データはディスプレイ２０に、本スキャン処理部５６で処理された画像データはプリンタ１６に、それぞれ送られる。
ディスプレイ２０には特に限定はなく、ＣＲＴ（Ｃａｔｈｏｄｅ  Ｒａｙ  Ｔｕｂｅ）や液晶ディスプレイ等の公知の表示手段が各種利用可能である。
【００３５】
他方、プリンタ１６は、感光材料（印画紙）を画像データに応じて露光して潜像を記録し、感光材料に応じた現像処理を施して（仕上り）プリントとして出力する。
例えば、感光材料をプリントに応じた所定長に切断した後に、バックプリントの記録、感光材料（印画紙）の分光感度特性に応じた、Ｒ露光、Ｇ露光およびＢ露光の３種の光ビームを画像データ（記録画像）に応じて変調すると共に、主走査方向に偏向し、主走査方向と直交する副走査方向に感光材料を搬送することによる潜像の記録等を行い、潜像を記録した感光材料に、発色現像、漂白定着、水洗等の所定の湿式現像処理を行い、乾燥してプリントとした後に、仕分けして集積する。
【００３６】
以下、フォトプリンタ１０の作用を説明することにより、本発明の画像処理方法について、より詳細に説明する。
【００３７】
このフィルムＦのプリント作成を依頼されたオペレータは、フィルムＦに対応するキャリア３０をスキャナ１２に装填し、キャリア３０の所定位置にフィルムＦ（カートリッジ）をセットし、作成するプリントサイズ等の必要な指示を入力した後に、プリント作成開始を指示する。
これにより、スキャナ１２の可変絞り２４の絞り値やイメージセンサ（ラインＣＣＤセンサ）３４の蓄積時間がプレスキャンの読取条件に応じて設定され、その後、キャリア３０がフィルムＦをカートリッジから引き出して、プレスキャンに応じた速度で副走査方向に搬送して、プレスキャンが開始され、前述のように所定の読取位置において、フィルムＦがスリット走査されて投影光がイメージセンサ３４に結像して、フィルムＦに撮影された画像がＲ，ＧおよびＢに分解されて光電的に読み取られる。
また、このフィルムＦの搬送の際に、磁気記録媒体に記録された磁気情報やＤＸコード等のバーコードが読まれ、必要な情報が所定の部位に送られる。
【００３８】
プレスキャンおよび本スキャンは、１コマずつ行ってもよく、全コマまたは所定の複数コマずつ、連続的にプレスキャンおよび本スキャンを行ってもよい。
以下の例では、好適な例として、先端から後端まで連続的にフィルムＦを搬送して、フィルムＦの全コマのプレスキャンを行った後に、本スキャンを行う。
【００３９】
プレスキャンによるイメージセンサ３４の出力信号は、アンプ３６で増幅されて、Ａ／Ｄ変換器３８に送られ、デジタル信号とされる。
デジタル信号は、処理装置１４に送られ、データ処理部４６で所定のデータ処理を施され、Ｌｏｇ変換器４８でデジタルの画像データであるプレスキャンデータとされ、プレスキャンメモリ５０に記憶される。
【００４０】
プレスキャンメモリ５２にプレスキャンデータが記憶されると、条件設定部５８のセットアップ部７０がこれを読み出し、１コマずつ順次、画像の濃度ヒストグラムの作成、ハイライトやシャドー等の画像特徴量の算出等を行い、そのコマの本スキャンの読取条件を設定してスキャナ１２に供給し、さらに、濃度ヒストグラムや算出した画像特徴量に加え、必要に応じて行われるオペレータの指示を加味して、そのコマに対するプレスキャン処理部５４および本スキャン処理部５６における画像処理条件を設定し、パラメータ統合部７６に供給する。
パラメータ統合部７６は、受け取った画像処理条件をプレスキャン処理部５４および本スキャン処理部５６の所定部位（ハードウエア）に設定する。
【００４１】
全コマの画像処理条件が設定されると、ディスプレイ２０が検定画面となり、プレスキャン処理部５４がプレスキャンメモリ５０からプレスキャンデータを読み出し、プレスキャン処理部５４において、各コマの画像データが対応する画像処理条件で処理され、シュミレーション画像（仕上り予測画像）としてディスプレイ２０に表示される。
なお、シュミレーション画像の表示は、フィルムＦの全コマの画像処理条件を設定した後に限定はされず、画像処理条件の設定に応じて、順次、シュミレーション画像を表示してもよい。また、フィルムＦの全コマを同時に表示するのにも限定はされず、後の赤目補正の指示等に応じて、６コマずつ等、所定コマ数ずつ、順次、表示を行ってもよい。
【００４２】
次いで、オペレータがシュミレーション画像を見て、例えばマウス１８ｂ等を用いて、赤目補正を行うコマを選択する。
赤目補正を行うコマが選択されると、選択されたコマのみに対して、本スキャン（本スキャンと同様の画像読取）が行われる。
【００４３】
本スキャンは、可変絞り２４の絞り値等の読取条件が設定された本スキャンの読取条件となる以外はプレスキャンと同様に行われ、イメージセンサ３４からの出力信号はアンプ３６で増幅されて、Ａ／Ｄ変換器３８でデジタル信号とされ、処理装置１４のデータ処理部４６で処理されて、Ｌｏｇ変換器５０で本スキャンデータとされ、本スキャンメモリ５４に送られる。
本スキャンデータが本スキャンメモリ５４に送られると、本スキャン処理部５６によって読み出され、画像処理部６６において対応する画像処理条件で処理された各コマの本スキャンデータが、赤目補正部６７を通過して、プレスキャン処理部５４のデータ変換部６４に送られ、変換されて、検定画面が赤目補正処理の画面に切り替わり、そのコマの本スキャンデータの画像がディスプレイ２０に表示される。
【００４４】
オペレータは、ディスプレイ２０に表示された画像を見て、画像中の目を含む領域をマウス１８ａ等を用いて切り出す。
次いで、切り出された領域の本スキャンデータがセットアップ部７０によって読み出され、前述のように、赤目補正処理の条件が決定（算出）され、本スキャン処理部５６の赤目補正部６７に設定される。これにより、本スキャンデータで赤目補正処理が行われ、また、その処理に応じて、ディスプレイ２０に表示された本スキャンデータの画像も変化する。
オペレータが、そのコマに対して赤目補正が適正に行われたことを確認して、その旨の入力を行うと、プレスキャン処理部５６の赤目補正部６３に同様の赤目補正の処理条件が設定され、次いで、次に赤目補正を指示されたコマの本スキャン画像がディスプレイ２０表示され、同様に赤目補正処理が行われる。
【００４５】
このようにして、指定された全コマの赤目補正処理が終了すると、ディスプレイ２０の表示が、前述の検定画面に切り換わる。なお、この際には、赤目補正を指示されたコマに対する赤目補正の処理条件が、プレスキャン処理部５４の赤目補正部６３にも設定されているので、プレスキャンデータによるシュミレーション画像にも赤目補正が施されている。
【００４６】
次いで、オペレータはディスプレイ２０の表示を見て、１コマずつ画像すなわち画像処理結果の確認（検定）を行い、必要に応じて、キーボード１８ａに設定された調整キー等を用いて色、濃度、階調等を調整する。
この調整の入力は、キー補正部７４に送られ、キー補正部７４は調整入力に応じた画像処理条件の補正量を算出し、これをパラメータ統合部７６に送る。
パラメータ統合部７６は、送られた補正量に応じて、プレスキャン処理部５４および本スキャン処理部５６に設定した画像処理条件を調整し、また、前記補正を行う補正条件を算出して両処理部の所定位置に設定する。従って、この補正すなわちオペレータによる調整入力に応じて、ディスプレイ２０に表示される画像も変化する。
【００４７】
オペレータは、このコマの画像が適正（検定ＯＫ）であると判定すると、キーボード１８ａ等を用いてその旨を入力し、次のコマの検定を行い、順次、各コマの検定を行う。
全コマ（あるいは所定コマ数）の検定が終了すると、オペレータは、キーボード１８ａ等を用いてプリント開始を指示する。これにより、画像処理条件が確定し、スキャナ１２において、キャリア３０が本スキャンに対応する速度でフィルムＦを搬送し、本スキャンが開始される。従って、この態様においては、本スキャンの開始に先立ち、キャリア３０において、フィルムを１コマ目からの画像読取ができる位置に巻き戻しておく。
【００４８】
なお、赤目補正を行うコマが１コマも指示されなかった場合には、最初の検定画面の表示に続いて、上記検定作業が行われる。
また、検定を行わない場合には、パラメータ統合部７６による本スキャン処理部５６への画像処理条件の設定を終了した時点で画像処理条件が確定し、本スキャンが開始される。検定の有無、赤目補正の有無等は、モードとして設定し、適宜選択可能にするのが好ましい。
【００４９】
本スキャンは、前述の赤目補正のための本スキャンと同様に行われ、イメージセンサ３４からの出力信号は、アンプ３６およびＡ／Ｄ変換器３８、データ処理部４６およびＬｏｇ変換器４８で処理され、本スキャンデータとされて本スキャンメモリ５２に送られる。
本スキャンデータが本スキャンメモリ５２に送られると、順次、本スキャン処理部５６によって読み出され、各コマ毎に画像処理部６６において確定した画像処理条件で画像処理され、次いで、画像データ変換部６８で変換されてプリンタ１６による画像記録に対応する出力用の画像データとされ、プリンタ１６に出力され、プリントが作成される。
【００５０】
ここで、本スキャンでは、フィルムＦの全コマで画像読取を行ってもよく、あるいは、先に赤目補正のために本スキャンを行ったコマについては、その際の本スキャンデータを記憶しておき、フィルムの読み取りを行わなくてもよい。
【００５１】
なお、インデックスプリントを作成する際には、プレスキャンメモリ５０に全コマのプレスキャンデータを記憶しておき、各コマのプレスキャンデータをそれぞれに対応する画像処理条件に応じて画像処理部６２で処理して、また、赤目補正を指示されたコマは、さらに赤目補正部６３で設定された処理条件で赤目補正を行い、その画像データを本スキャン処理部５６のデータ変換部６８に送って、プリンタ１６に対応するデータにすると共に各コマの画像データを割り振って、インデックスプリントの画像データとして、プリンタ１６に出力する。
【００５２】
以上の説明より明らかなように、本発明の画像処理方法によれば、プレスキャンの画像を用いて赤目補正を行うコマを指示し、本スキャンデータを用いて赤目補正処理（処理条件の決定）を行う。
そのため、高解像度の画像データを用いた好適な赤目補正を、同時プリントでも行うことができ、赤目のないプリントを安定して出力することができ、例えば、顧客が赤目の発生の有無が判断できない場合でも、ラボ店等で、適宜、赤目補正を行う高品位なサービス等を実施することが可能となる。
【００５３】
以上の例では、全コマのプレスキャンを終了した後、赤目補正を指示されたコマのみ先に本スキャンを行い、その後、全コマの本スキャンを行っているが、本発明はこれに限定はされず、各種の態様（シーケンス）が実施可能である。
例えば、全コマのプレスキャンを行った後、赤目補正を行うコマを指示および検定を行い、全コマの本スキャンと赤目補正とを並行してを行ってもよい。
【００５４】
この態様においては、プレスキャン→画像処理条件の設定→検定画面の表示までは、前述の例と同様に行われる。
オペレータは、検定画面を見て、赤目補正を行うコマを指示し、次いで、例えば１コマ目から（逆からでも可）、順次、検定を行う。
ここで、検定画面で表示するシュミレーション画像は、フィルムＦの全コマに限定はされず、６コマずつ等の所定コマずつ、順次、表示して、検定を行ってもよい。また、赤目補正を行うコマの指示は、検定と同時に行ってもよい。
【００５５】
例えば、ディスプレイに表示されたコマ全部等、所定コマ数の検定が終了すると、オペレータは、検定を終了したコマのプリント開始を指示する。この指示に応じて、対応するコマの画像処理条件（赤目補正を除く）が確定し、それらコマの本スキャンが開始される。
【００５６】
本スキャンは前述の例と同様に行われ、イメージセンサ３４からの出力信号がアンプ３６で増幅されて、Ａ／Ｄ変換器３８でデジタル信号とされ、データ処理部４６およびＬｏｇ変換器５０で処理されて本スキャンデータとされ、本スキャンメモリ５２に送られる。
本スキャンデータが本スキャンメモリ５４に送られると、各コマの本スキャンデータが、順次、本スキャン処理部５６によって読み出され、赤目補正の指示を受けていないコマの場合には、画像処理部６６において確定した画像処理条件で画像処理され、次いで、赤目補正部６７を通過してデータ変換部６８で変換されてプリンタ１６に出力され、プリントが作成される。
【００５７】
ここで、赤目補正の指示を受けたコマの本スキャンデータが本スキャンメモリ５４に記憶され、本スキャン処理部５６によって読み出されると、そのコマに対しては、前述の例と同様に、赤目補正が行われる。
すなわち、本スキャンデータが、画像処理部６６において確定した画像処理条件に応じて処理され、赤目補正部６７を通過して、プレスキャン処理部５４のデータ変換部６４に送られ、変換されてディスプレイ２０に表示される。
オペレータは、画像を見て目の領域を切り出し、それをセットアップ部７０が本スキャンメモリ５２から読み出して、赤目補正の処理条件を決定する。この処理条件は、パラメータ統合部７６から赤目補正部６８に設定され、これによってディスプレイ２０に表示された画像も変化する。
【００５８】
ディスプレイ２０の画像を見て、このコマの赤目補正が適当であると判断すると、オペレータが、その旨の指示を出す。
これにより、赤目補正部６７で処理された本スキャンデータの送り先が、プレスキャン処理部５４のデータ変換部６４から本スキャン処理部５６のデータ変換部６８に変更され、プリンタ１６に応じた画像データに変換されて、プリンタ１６に送られ、そのプリントが作成され、さらに、本スキャン処理部５６においては、次のコマの処理が開始される。インデックスプリントを作成する場合には、赤目補正条件をプレスキャン処理部５４の赤目補正部６３にも設定する。
【００５９】
なお、このような赤目補正処理を行っている間は、本スキャンは停止しておいてもよく、あるいは、本スキャンメモリに５２に十分な容量がある場合には、赤目補正処理と並行して本スキャンを行い、以降のコマの本スキャンデータを記憶しておいてもよい。
【００６０】
さらに、本発明の別の例として、以下の態様が例示される。
最初に例示した態様では、赤目補正を行うコマの本スキャンを先に行ったが、本態様では、逆に、赤目補正を行わないコマの本スキャンを先に行い、その後、赤目補正を行うコマの本スキャンを行う。
【００６１】
本態様においても、プレスキャン→画像処理条件の設定→検定画面の表示までは、前述のと同様に行われる。
オペレータは、検定画面を見て、赤目補正を行うコマを指示し、次いで、例えば１コマ目から（逆からでも可）、順次、検定を行う。なお、表示するシュミレーション画像は全コマに限定はされず、また、検定と赤目補正コマの指示を同時に行ってもよいのは、先の例と同様である。
所定コマ数の検定が終了すると、オペレータは、検定を終了したコマのプリント開始を指示する。この指示に応じて、対応するコマの画像処理条件が確定し、それらコマの本スキャンが開始され、赤目補正の指示を受けていないコマのみ、順次、本スキャンが行われる。
【００６２】
本スキャンは前述の例と同様に行われ、イメージセンサ３４からの出力信号がアンプ３６で増幅されて、Ａ／Ｄ変換器３８、データ処理部４６およびＬｏｇ変換器４８で処理されて本スキャンデータとされ、本スキャンメモリ５２に送られ、順次、本スキャン処理部５６によって読み出され、各コマ毎に画像処理部６６において確定した画像処理条件で画像処理され、次いで、赤目補正部６７を通過して画像データ変換部６８で変換されて出力用の画像データとされ、プリンタ１６に出力され、プリントが作成される。
【００６３】
このようにして、赤目補正の指示を受けていないコマ全ての本スキャンが行われると、スキャナ１２のキャリア３０において、フィルムＦが必要量だけ巻き戻され、赤目補正の指示を受けたコマの本スキャンが行われる。
赤目補正の指示を受けたコマも、本スキャンは同様に行われ、スキャンデータが本スキャンメモリ５２に記憶される。
【００６４】
以降は、先の例の赤目補正を受けたコマと同様に処理が行われ、本スキャンメモリ５２に記憶された本スキャンデータが、画像処理部６６で処理され、赤目補正部６７を通過して、プレスキャン処理部５４のデータ変換部６４で変換されてディスプレイ２０に表示される。オペレータは、画像を見て目の領域を切り出し、それをセットアップ部７０が読み出して、赤目補正の処理条件を決定し、この処理条件が赤目補正部６８に設定され、これによってディスプレイ２０に表示された画像も変化する。
赤目補正が適当であれば、オペレータが、そのコマのプリント指示を出し、これにより、赤目補正部６７で処理された本スキャンデータが、本スキャン処理部５６のデータ変換部６８に変更され、プリンタ１６に応じた画像データに変換されて、プリンタ１６に送られ、そのプリントが作成され、また、インデックスプリントを作成する場合には、赤目補正条件をプレスキャン処理部５４の赤目補正部６３に設定する。
【００６５】
以上、本発明の画像処理方法について詳細に説明したが、本発明は上記実施例に限定はされず、本発明の要旨を逸脱しない範囲において、各種の改良および変更を行ってもよいのはもちろんである。
【００６６】
【発明の効果】
以上、詳細に説明したように、本発明の画像処理方法によれば、ディスプレイに表示した画像を見て赤目補正を行うコマを指示できると共に、高解像度な本スキャンデータを用いて赤目補正処理を行うことができる。
従って、本発明によれば、同時プリントの際に、適正に赤目補正処理を行うことができ、赤目のない高画質な画像が再生されたプリントを、安定して出力することができる。
【図面の簡単な説明】
【図１】本発明の画像処理方法を利用するデジタルフォトプリンタの一例のブロック図である。
【図２】（Ａ）は、図１に示されるデジタルフォトプリンタに装着されるキャリアの概念図を、（Ｂ）は、図１に示されるデジタルフォトプリンタのイメージセンサの概念図を、それぞれ示す。
【図３】図１に示されるデジタルフォトプリンタの画像処理装置の一例のブロック図である。
【符号の説明】
１０  （デジタル）フォトプリンタ
１２  スキャナ
１４  （画像）処理装置
１６  プリンタ
１８  操作系
１８ａ  キーボード
１８ｂ  マウス
２０  ディスプレイ
２２  光源
２４  可変絞り
２８  拡散ボックス
３２  結像レンズユニット
３４  ＣＣＤセンサ
３６  アンプ
３８  Ａ／Ｄ変換器
４０  マスク
４４  コードリーダ
４６  データ処理部
４８  Ｌｏｇ変換器
５０  プレスキャン（フレーム）メモリ
５２  本スキャン（フレーム）メモリ
５４  プレスキャン処理部
５６  本スキャン処理部
５８  条件設定部
６２，６６  画像処理部
６３，６７  赤目補正部
６４，６８  データ変換部
７０  セットアップ部
７４  キー補正部
７６  パラメータ統合部
【図１】
0003590265.tif 000002
【図２】
0003590265.tif 000003
【図３】
0003590265.tif 000004